(57)【要約】【課題】ブラケットの取り付け状態をより安定させ、かつ取付強度をより向上させることができる手摺用ブラケットの取付構造を提供することである。【解決手段】壁面（ブラケット取付面）１８に固定された固定ネジ１７ａ，１７ｂと、この固定ネジ１７ａ，１７ｂに着脱自在に係合する係合部１２ａ，１２ｂを有する取付座１３を備えた手摺用ブラケット１１とからなる手摺用ブラケットの取付構造であり、係合部１２ａ，１２ｂが取付座１３の端面に設けたＵ字形切り欠き部であり、このＵ字形切り欠き部の開口近傍の少なくとも一側部に、固定ネジ１７ａ，１７ｂの頭部が当たる抜け止め用の突起１ａ，１ｂを形成すると共に、この突起１ａ，１ｂの固定ネジ１７ａ，１７ｂの頭部に当接する当接面２ａ，２ｂが、固定ネジ１７ａ，１７ｂの頭部に対応した凹状の湾曲面からなる。【選択図】図２
0003134563.tif 000002
【実用新案登録請求の範囲】
【請求項１】
ブラケット取付面に固定された固定ネジと、この固定ネジに着脱自在に係合する係合部を有する取付座を備えた手摺用ブラケットとからなる手摺用ブラケットの取付構造であって、
前記係合部が、取付座の端面に設けられ固定ネジのネジ部が挿通するＵ字形切り欠き部であり、このＵ字形切り欠き部の開口近傍の少なくとも一側部に固定ネジの頭部が当たる抜け止め用の突起を形成すると共に、この突起の固定ネジの頭部に当接する当接面が、固定ネジの頭部に対応した凹状の湾曲面からなることを特徴とする手摺用ブラケットの取付構造。
【請求項２】
ブラケット取付面に固定された複数個の固定ネジと、これらの各固定ネジにそれぞれ着脱自在に係合する複数個の係合部を有する取付座を備えた手摺用ブラケットとからなる手摺用ブラケットの取付構造であって、
前記複数個の係合部のうち、少なくとも１つの係合部が、請求項１記載の係合部からなることを特徴とする手摺用ブラケットの取付構造。
【請求項３】
ブラケット取付面に固定された固定ネジと、この固定ネジに着脱自在に係合する係合部を有する取付座を備えた手摺用ブラケットとからなる手摺用ブラケットの取付構造であって、
前記係合部が、前記固定ネジの頭部が挿通するネジ挿通孔と、このネジ挿通孔に連通したネジ係合孔とからなり、このネジ係合孔周縁の取付座表面に、固定ネジの頭部が嵌入され該固定ネジの頭部が当たる抜け止め用の内側面をネジ挿通孔とネジ係合孔との境界部に有する凹部を形成したことを特徴とする手摺用ブラケットの取付構造。
【請求項４】
前記固定ネジがブラケット取付面に複数個固定されており、かつ各固定ネジに対応して、ネジ挿通孔とネジ係合孔とからなる前記係合部が前記取付座に複数設けられている請求項３記載の手摺用ブラケットの取付構造。
【請求項５】
前記手摺用ブラケットがエンドブラケットであり、ネジ挿通孔とネジ係合孔とからなる前記係合部は、手摺の軸心と平行に取付座の座面中央部を通る直線に対して取付座が略左右対称形となる少なくとも一対の係合部からなる請求項３または４記載の手摺用ブラケットの取付構造。
【請求項６】
前記固定ネジが皿ネジであり、前記ネジ係合孔に前記皿ネジの頭部が嵌入するテーパ面が形成されている請求項３〜５のいずれかに記載の手摺用ブラケットの取付構造。
【考案の詳細な説明】
【技術分野】
【０００１】
本考案は、一般家庭や公共施設などの階段、廊下、玄関等に設置される手摺を固定するための手摺用ブラケットの取付構造に関する。
【背景技術】
【０００２】
従来から、一般家庭や公共施設などの階段、廊下、玄関などにはしばしば手摺が取り付けられている。この手摺は、通常、手摺用ブラケットを用いて壁面に固定される。この手摺用ブラケットとしては、一般に、壁面に固定するための取付座と、この取付座に立設されたアーム部と、このアーム部の上端に設けられた手摺取付部とを備えたものが使用されている。そして、取付座に設けられたネジ挿通孔に挿通した固定ネジを壁面に螺入させてブラケットを固定している。また、手摺は、ブラケットの手摺取付部にネジなどによって取り付けられる。
【０００３】
しかしながら、壁面に取り付けられた手摺およびブラケットは、例えば壁面のクロスを張り替える際には取り外さなければならない。また、引っ越しなどにおいて大型の荷物を搬入・搬出する際などにも取り外さなければならないことがある。このような場合には、手摺用ブラケットの取付座に挿通された複数本のネジを外して手摺および手摺用ブラケットを取り外し、クロスの張り替え作業、荷物の搬入・搬出作業が終了した後、再度手摺を元の場所に取り付けるために手摺用ブラケットの取付座に複数本のネジを取り付けなければならない。これらの一連の作業には多くの時間と労力が必要であるため、作業時間を短縮し、労力を削減することができる種々の手段が提案されている。
【０００４】
例えば、特許文献１には、ブラケット取付面に固定された固定ネジと、この固定ネジに着脱自在に係合する係合部を有する取付座を備えた手摺用ブラケットとからなる手摺用ブラケットの取付構造が記載されている。このような取付構造を採用すると、部品点数を増やすことなく、手摺の着脱を容易に行うことができ、着脱に要する作業時間を短縮することができる。
【０００５】
一方、特許文献１には、ブラケットの取り付け状態を安定させ、かつ取付強度を向上させることを目的として、係合部を構成するＵ字形切り欠き部の開口近傍の両側部に固定ネジ抜け止め用の突起を形成することが記載されており、該突起の例示として、突条が記載されている。また、特許文献１には、係合部として、固定ネジの頭部が挿通するネジ挿通孔と、このネジ挿通孔に連通したネジ係合孔とからなるものが記載されている。
【０００６】
ところが、このような構成の突起、係合部では、大きな衝撃や振動などが生じた際には、固定ネジが切り欠き部、ネジ係合孔から離脱するおそれがある。したがって、ブラケットの取り付け状態や取付強度を、より一層安定、向上させることが可能な手摺用ブラケットの取付構造が要望されていた。
【特許文献１】特開２００２−３２４１２５号公報
【考案の開示】
【考案が解決しようとする課題】
【０００７】
本考案の課題は、ブラケットの取り付け状態をより安定させ、かつ取付強度をより向上させることができる手摺用ブラケットの取付構造を提供することである。
【課題を解決するための手段】
【０００８】
本考案者らは、上記課題を解決すべく鋭意検討を重ねた結果、係合部を構成するＵ字形切り欠き部の開口近傍の少なくとも一側部に、固定ネジの頭部が当たる抜け止め用の突起を形成すると共に、この突起の固定ネジの頭部に当接する当接面を、固定ネジの頭部に対応した凹状の湾曲面からなるように構成すると、Ｕ字形切り欠き部から離脱する方向（すなわちＵ字形切り欠き部の開口方向）への固定ネジの移動を阻止するという突起の機能を向上させることができ、これによりブラケットの取り付け状態がより安定し、かつ取付強度がより向上するという新たな知見を見出し、本考案を完成するに至った。
【０００９】
すなわち、本考案の手摺用ブラケットの取付構造は、以下の構成からなる。
（１）ブラケット取付面に固定された固定ネジと、この固定ネジに着脱自在に係合する係合部を有する取付座を備えた手摺用ブラケットとからなる手摺用ブラケットの取付構造であって、前記係合部が、取付座の端面に設けられ固定ネジのネジ部が挿通するＵ字形切り欠き部であり、このＵ字形切り欠き部の開口近傍の少なくとも一側部に固定ネジの頭部が当たる抜け止め用の突起を形成すると共に、この突起の固定ネジの頭部に当接する当接面が、固定ネジの頭部に対応した凹状の湾曲面からなることを特徴とする手摺用ブラケットの取付構造。
（２）ブラケット取付面に固定された複数個の固定ネジと、これらの各固定ネジにそれぞれ着脱自在に係合する複数個の係合部を有する取付座を備えた手摺用ブラケットとからなる手摺用ブラケットの取付構造であって、前記複数個の係合部のうち、少なくとも１つの係合部が、前記（１）記載の係合部からなることを特徴とする手摺用ブラケットの取付構造。
【００１０】
一方、本考案者らは、上記課題を解決すべく鋭意検討を重ねた結果、固定ネジの頭部が挿通するネジ挿通孔と、このネジ挿通孔に連通したネジ係合孔とからなる係合部において、ネジ係合孔周縁の取付座表面に、固定ネジの頭部が嵌入され該固定ネジの頭部が当たる抜け止め用の内側面をネジ挿通孔とネジ係合孔との境界部に有する凹部を形成する場合には、ネジ係合孔から離脱する方向（ネジ挿通孔方向）へ固定ネジが移動すると、固定ネジの頭部が前記内側面に当たることよって、固定ネジのネジ係合孔からの離脱が防止され、ブラケットの取り付け状態がより安定し、かつ取付強度がより向上するという新たな知見を見出し、本考案を完成するに至った。
【００１１】
すなわち、本考案の他の手摺用ブラケットの取付構造は、以下の構成からなる。
（３）ブラケット取付面に固定された固定ネジと、この固定ネジに着脱自在に係合する係合部を有する取付座を備えた手摺用ブラケットとからなる手摺用ブラケットの取付構造であって、前記係合部が、前記固定ネジの頭部が挿通するネジ挿通孔と、このネジ挿通孔に連通したネジ係合孔とからなり、このネジ係合孔周縁の取付座表面に、固定ネジの頭部が嵌入され該固定ネジの頭部が当たる抜け止め用の内側面をネジ挿通孔とネジ係合孔との境界部に有する凹部を形成したことを特徴とする手摺用ブラケットの取付構造。
（４）前記固定ネジがブラケット取付面に複数個固定されており、かつ各固定ネジに対応して、ネジ挿通孔とネジ係合孔とからなる前記係合部が前記取付座に複数設けられている前記（３）記載の手摺用ブラケットの取付構造。
（５）前記手摺用ブラケットがエンドブラケットであり、ネジ挿通孔とネジ係合孔とからなる前記係合部は、手摺の軸心と平行に取付座の座面中央部を通る直線に対して取付座が略左右対称形となる少なくとも一対の係合部からなる前記（３）または（４）記載の手摺用ブラケットの取付構造。
（６）前記固定ネジが皿ネジであり、前記ネジ係合孔に前記皿ネジの頭部が嵌入するテーパ面が形成されている前記（３）〜（５）のいずれかに記載の手摺用ブラケットの取付構造。
【考案の効果】
【００１２】
前記（１），（２）によれば、突起の固定ネジの頭部に当接する当接面を、固定ネジの頭部に対応した凹状の湾曲面からなるように構成するので、前記した突起の機能を向上させることができる。したがって、固定ネジが、衝撃や振動などによって切り欠き部から離脱するのを該突起にて確実に防止することができ、ブラケットの取り付け状態をより安定させ、かつ取付強度をより向上させることができる。
【００１３】
前記（３），（４）によれば、ネジ係合孔周縁の取付座表面に、固定ネジの頭部が嵌入され該固定ネジの頭部が当たる抜け止め用の内側面をネジ挿通孔とネジ係合孔との境界部に有する凹部を形成するので、ネジ係合孔から離脱する方向への固定ネジの移動を前記凹部によって確実に阻止することができ、これにより固定ネジが衝撃や振動などによってネジ係合孔から離脱するのを防止して、ブラケットの取り付け状態をより安定させ、かつ取付強度をより向上させることができる。
【００１４】
前記（５）によれば、手摺用ブラケットを、手摺を壁面などに固定するために手摺の両端に取り付けられるエンドブラケットとし、ネジ挿通孔とネジ係合孔とからなる係合部を、手摺の軸心と平行に取付座の座面中央部を通る直線に対して取付座が略左右対称形となる少なくとも一対の係合部からなるようにしたので、同じ形状のエンドブラケットを手摺の両端部に使用することができ、これにより製造コストを削減することができる。
前記（６）によれば、前記固定ネジが皿ネジであり、前記ネジ係合孔に前記皿ネジの頭部が嵌入するテーパ面を形成するので、ネジ係合孔に固定ネジの頭部を確実に係合させることができ、安全性や安定性をより向上することができる。
【考案を実施するための最良の形態】
【００１５】
以下、本考案にかかる手摺用ブラケットの取付構造の一実施形態について図面を参照して詳細に説明する。図１（ａ）は、本実施形態にかかる手摺用ブラケットの取付構造を示す平面図であり、図１（ｂ）は、その側面図である。図２（ａ）は、図１（ａ），（ｂ）に示した手摺用ブラケットを示す正面図であり、図２（ｂ）は、その背面図である。
【００１６】
図１（ａ），（ｂ）および図２（ａ），（ｂ）に示すように、この取付構造は、壁面（ブラケット取付面）１８に固定された固定ネジ１７ａ，１７ｂ，１７ｃと、この固定ネジ１７ａ，１７ｂ，１７ｃが着脱自在に係合する係合部１２ａ，１２ｂ，１２ｃを有する取付座１３を備えた手摺用ブラケット１１とからなる。
【００１７】
係合部１２ａ，１２ｂ，１２ｃは、取付座１３の端面に設けられ固定ネジ１７ａ，１７ｂ，１７ｃのネジ部が挿通するＵ字形切り欠き部である。取付座１３は略Ｔ字形で構成されており、この取付座１３の端面に３つの係合部１２ａ，１２ｂ，１２ｃが、各係合部の開口が同方向に揃うように形成されている。
【００１８】
ここで、係合部１２ａ，１２ｂ，１２ｃのうち、係合部１２ａ，１２ｂの開口近傍の一側部には、固定ネジの頭部が当たる抜け止め用の突起１ａ，１ｂが形成されており、突起１ａ，１ｂの固定ネジ１７ａ，１７ｂの頭部に当接する当接面２ａ，２ｂが、固定ネジ１７ａ，１７ｂの頭部に対応した凹状の湾曲面からなるように構成されている（図２（ａ）参照）。これにより、Ｕ字形切り欠き部の開口方向への固定ネジ１７ａ，１７ｂの移動を阻止するという突起の機能を向上させることができ、固定ネジ１７ａ，１７ｂが、衝撃や振動などによって係合部１２ａ，１２ｂから離脱するのを確実に防止することができる。
【００１９】
突起１ａ，１ｂの厚みは、用途に応じて任意の厚みに設定すればよく、特に限定されない。すなわち、例えばブラケット１１の壁面１８からの取り外し性を高める場合には、突起としての機能を損なわない範囲内で、突起１ａ，１ｂの厚みを固定ネジ１７ａ，１７ｂの頭部の厚みよりも薄く形成すればよい。一方、ブラケット１１の壁面１８への取付安定性を高める場合には、前記とは逆に、突起１ａ，１ｂの厚みを固定ネジ１７ａ，１７ｂの頭部の厚みよりも大きく形成すればよい。なお、突起１ａ，１ｂの厚みを、固定ネジ１７ａ，１７ｂの頭部の厚みと略同じ厚みに形成して、取り外し性および取付安定性のバランスをとってもよい。
【００２０】
一方、ブラケット１１の取付座１３の中央付近には、該取付座１３から湾曲して立設されたアーム部１４と、このアーム部１４の上端に設けられた手摺取付部１５とを備えている。これらの取付座１３、アーム部１４および手摺取付部１５は鋳造などによって一体に形成されている。アーム部１４は、中空部１９，２０を備えている。このようなブラケット１１の材質としては特に限定されないが、強度の面から、例えばアルミニウム、鉄、ステンレス、銅、真鍮などの金属を使用するのが好ましい。また、ブラケット１１に取付座１３を被覆するカバー２１を取り外し自在に取り付けてもよい（図１（ａ），（ｂ）参照）。
【００２１】
手摺２９は、上記のようなブラケット１１を用いて壁面１８に以下のようにして取り付けられる。すなわち、まず複数のブラケット１１を所定の間隔で手摺２９の所定位置に２つのネジ挿通孔１５ａを利用してネジで取り付ける。次に、壁面１８上にブラケット１１を取り付ける位置の位置決めを行う。ついで、前記取り付け位置にブラケット１１を配置し、３つのネジ１７ａ，１７ｂ，１７ｃを３箇所の係合部１２ａ，１２ｂ，１２ｃにそれぞれ挿通して壁面１８に螺入させて、ブラケット１１を壁面１８に固定する（図３（ａ）参照）。
【００２２】
このようにして取り付けられた手摺２９およびブラケット１１を、壁面１８のクロス張り替えなどで取り外す必要があるときは、以下のようにして容易に取り外すことができ、さらに再度の取り付けも簡単である。
【００２３】
図３（ａ），（ｂ）は、ブラケット１１を壁面から取り外し、再度取り付ける際の手順を示す概略図である。図３（ａ）に示す状態で取り付けられた手摺２９およびブラケット１１を取り外す際には、ブラケット１１を壁面１８に沿って上方（図３（ｂ）の矢印Ａの方向）へ持ち上げて、係合部１２ａ，１２ｂ，１２ｃの開口からネジ１７ａ，１７ｂ，１７ｃを抜き出せばよい。このとき、ネジ１７ａ，１７ｂについては、ネジ１７ａ，１７ｂの頭部が突起１ａ，１ｂの当接面２ａ，２ｂを乗り越えるようにして、係合部１２ａ，１２ｂから抜き出せばよい。なお、係合部１２ａ，１２ｂ，１２ｃにおいてネジ１７ａ，１７ｂ，１７ｃを強固に締め付けている場合や、固定ネジ１７ａ，１７ｂの頭部が突起１ａ，１ｂの当接面２ａ，２ｂを乗り越えにくい場合には、ネジ１７ａ，１７ｂ，１７ｃを緩めてもよい。
【００２４】
また、ブラケット１１を再度壁面に取り付ける際には、上記とは逆の手順で、係合部１２ａ，１２ｂ，１２ｃの開口からネジ１７ａ，１７ｂ，１７ｃを挿入し（図３（ｂ）の矢印Ｂの方向へブラケット１１を下ろす）、ネジ１７ａ，１７ｂ，１７ｃが係合部１２ａ，１２ｂ，１２ｃの末端（Ｕ字形切り欠き部の上端（円弧部分））に位置するようにブラケット１１を移動させ、必要に応じて、この位置でネジ１７ａ，１７ｂ，１７ｃを締め付ければよい。
【００２５】
図４は、本考案の取付構造で使用することができる手摺用ブラケットの取付座の他の例を示す概略図である。図４では、特に係合部の形状および配置を説明する便宜上、アーム部および手摺取付部は省略している。
【００２６】
図４に示す取付座５１は略Ｈ形で構成されており、この取付座５１の端面に４つの係合部（Ｕ字形切り欠き部）５３ａ，５３ｂ，５３ｃ，５３ｄが、各係合部の開口が同方向に揃うように形成されている。
【００２７】
そして、係合部５３ａ，５３ｂ，５３ｃ，５３ｄのうち、係合部５３ａ，５３ｂの開口近傍の一側部には、固定ネジ５４ａ，５４ｂの頭部が当たる抜け止め用の突起５５ａ，５５ｂが形成されており、突起５５ａ，５５ｂの固定ネジ５４ａ，５４ｂの頭部に当接する当接面５６ａ，５６ｂが、固定ネジ５４ａ，５４ｂの頭部に対応した凹状の湾曲面からなるように構成されている。
【００２８】
したがって、このような取付座５１を有するブラケットにおいても、突起の機能を向上させることができ、かつ前記したブラケット１１の場合と同様にして係合部５３ａ，５３ｂ，５３ｃ，５３ｄの開口から固定ネジ５４ａ，５４ｂ，５４ｃ，５４ｄを挿入または抜き出すことにより、ブラケットを容易に取り付け・取り外すことができる。なお、本実施形態にかかるブラケットは、固定ネジ５４ａ，５４ｂ，５４ｃ，５４ｄが係合部５３ａ，５３ｂ，５３ｃ，５３ｄの末端（Ｕ字形切り欠き部の円弧部分）に位置するように取り付けられる。
【００２９】
図５（ａ）〜（ｃ）は、本考案の取付構造で使用することができる手摺用ブラケットの取付座の他の例を示す概略図である。図５（ａ）〜（ｃ）では、特に係合部の形状および配置を説明する便宜上、アーム部および手摺取付部は省略している。図６は、図５（ａ）に示した取付座の係合部付近を示す部分拡大斜視図である。図７（ａ），（ｂ）は、図５（ａ）のI−I線断面図であり、固定ネジを凹部に嵌入する際の手順を示す図である。
【００３０】
図５（ａ）に示す取付座６１には、４つの係合部６２，６２，・・・が設けられている。この係合部６２，６２，・・・は、後述する図７（ａ），（ｂ）に示す固定ネジ６９の頭部が挿通するネジ挿通孔６３，６３，・・・と、このネジ挿通孔６３，６３，・・・に連通したネジ係合孔６４，６４，・・・とからなる。すなわち、ネジ挿通孔６３，６３，・・・は、ここに挿通される固定ネジ６９の頭部の外径よりも大きな内径を有しており、ネジ係合孔６４，６４，・・・は、固定ネジ６９の頭部の外径よりも小さく、固定ネジ６９のネジ部の外径よりも大きな内径を有している。
【００３１】
ここで、ネジ係合孔６４，６４，・・・の周縁の取付座６１表面には、凹部６５，６５，・・・が形成されている。この凹部６５は、図６および図７（ａ），（ｂ）に示すように、固定ネジ６９の頭部が嵌入され、かつ固定ネジ６９の頭部が当たる抜け止め用の内側面６７を、ネジ挿通孔６３とネジ係合孔６４との境界部に有している。これにより、ネジ係合孔６４から離脱する方向（ネジ挿通孔６３方向）へ固定ネジ６９が移動すると、固定ネジ６９の頭部が内側面６７に当たることよって、固定ネジ６９のネジ係合孔６４からの離脱が防止される。
【００３２】
凹部６５の深さは、用途に応じて任意の深さに設定すればよく、特に限定されない。すなわち、例えばブラケットの壁面からの取り外し性を高める場合には、前記した凹部としての機能を損なわない範囲内で、凹部６５の深さを固定ネジ６９の頭部の厚みよりも浅く形成すればよい。一方、ブラケットの壁面への取付安定性を高める場合には、前記とは逆に、凹部６５の深さを固定ネジ６９の頭部の厚みよりも深く形成すればよい。なお、凹部６５の深さを、固定ネジ６９の頭部の厚みと略同じ深さに形成して、取り外し性および取付安定性のバランスをとってもよい。
【００３３】
一方、図５（ｂ），（ｃ）に示す取付座７１，８１には、取付座６１と同様に、それぞれ４つの係合部７２，７２，・・・または係合部８２，８２，・・・が設けられている。これらの係合部７２，７２，・・・または係合部８２，８２，・・・は、固定ネジ（不図示）の頭部が挿通するネジ挿通孔７３，７３，・・・またはネジ挿通孔８３，８３，・・・と、これらのネジ挿通孔７３，７３，・・・またはネジ挿通孔８３，８３，・・・に連通したネジ係合孔７４，７４，・・・またはネジ係合孔８４，８４，・・・とからなる。ネジ挿通孔７３，８３の形状はそれぞれ略三角形、円形であり、ネジ係合孔７４，８４の形状はそれぞれ円形、Ｌ字形である。
【００３４】
そして、ネジ係合孔７４，７４，・・・またはネジ係合孔８４，８４，・・・の周縁の取付座７１，８１の表面には、前記した取付座６１と同様に、固定ネジの頭部が嵌入され該固定ネジの頭部が当たる抜け止め用の内側面をネジ挿通孔７３，７３，・・・またはネジ挿通孔８３，８３，・・・と、ネジ係合孔７４，７４，・・・またはネジ係合孔８４，８４，・・・との境界部に有する凹部７５，７５，・・・または凹部８５，８５，・・・が形成されている。したがって、前記した取付座６１と同様に、ネジ係合孔７４，７４，・・・またはネジ係合孔８４，８４，・・・から離脱する方向への固定ネジの移動が凹部７５，７５，・・・または凹部８５，８５，・・・の内側面によって阻止される。
【００３５】
次に、上記した取付座６１、取付座７１または取付座８１を備えた手摺用ブラケットを用いて手摺を壁面に固定する方法について、取付座６１を例に挙げて説明する。すなわち、まず、図７（ａ）に示すように、ネジ挿通孔６３に固定ネジ６９の頭部を挿通させ、ついで固定ネジ６９の頭部がネジ係合孔６４の末端に位置するようにブラケットを矢印Ｃ方向に移動させた後、固定ネジ６９の頭部を凹部６５に嵌入させ、必要に応じて固定ネジ６９を締め付ければよい。
【００３６】
上記のようにして取り付けたブラケットを取り外す場合には、上記とは逆の手順で、ネジ係合孔６４に位置している固定ネジ６９の頭部が凹部６５の内側面６７を乗り越えて離脱し、ネジ挿通孔６３に位置するようにブラケットを壁面に沿って上方へ持ち上げる。ついで、固定ネジ６９の頭部がネジ挿通孔６３から抜き出るようにブラケットを移動させればよい。なお、ネジ係合孔６４において固定ネジ６９を強固に締め付けている場合や、固定ネジ６９の頭部が凹部６５から離脱しにくい場合には、固定ネジ６９を緩めてもよい。なお、取付座７１または取付座８１についても、取付座６１と同様にして、取り付け・取り外しを行えばよい。
【００３７】
図８は、エンドブラケット１２１，１２１を用いて手摺１３１を壁面１８に取り付けた状態を示す平面図である。また、図９（ａ）はエンドブラケット１２１を示す断面図、図９（ｂ）はその平面図である。
【００３８】
図８および図９（ａ），（ｂ）に示すように、エンドブラケット１２１は、取付座１２８と、この取付座１２８の一端から立設されたアーム部１２４と、このアーム部１２４の上端に設けられた手摺取付部１２５とを備えている。取付座１２８、アーム部１２４および手摺取付部１２５は、鋳造などによって一体に形成されている。
【００３９】
図９（ｂ）に示すように、取付座１２８の中央付近には、略円形のネジ挿通孔１２６が設けられている。そして、取付座１２８は、手摺１３１の軸心と平行に取付座１２８の座面中央部を通る直線Ｌに対して取付座１２８が略左右対称形となる係合部１２２および係合部１２３が形成されている。
【００４０】
係合部１２２，１２３は、固定ネジ（不図示）の頭部が挿通するネジ挿通孔１２２ａ，１２３ａと、このネジ挿通孔１２２ａ，１２３ａに連通したネジ係合孔１２２ｂ，１２３ｂとからなる。そして、ネジ係合孔１２２ｂ，１２３ｂの周縁の取付座１２８表面には、固定ネジの頭部が嵌入され該固定ネジの頭部が当たる抜け止め用の内側面をネジ挿通孔１２２ａ，１２３ａと、ネジ係合孔１２２ｂ，１２３ｂとの境界部に有する凹部１２２ｃ，１２３ｃが形成されている。したがって、前記した取付座６１と同様に、ネジ係合孔１２２ｂ，１２３ｂから離脱する方向への固定ネジの移動を、凹部１２２ｃ，１２３ｃの内側面によって阻止することができる。
【００４１】
このエンドブラケット１２１を手摺１３１の一端に取り付ける際には、前記係合部１２２，１２３のうちの一方（例えば係合部１２２）を用いて取付座１２８を壁面１８に取り付ける。また、エンドブラケット１２１を手摺１３１の他端に取り付ける際には、係合部１２２，１２３のうちの他方（例えば係合部１２３）を用いて取付座１２８を壁面１８に取り付ける。このようにブラケット１２１は、手摺１３１のどちらの端部にも適用可能である。
【００４２】
また、手摺１３１を壁面１８へ確実に固定するために、上記係合部１２２，１２３に加えてネジ挿通孔１２６にも固定ネジ（不図示）を挿通させ、壁面１８にエンドブラケット１２１を固定することもできる。
【００４３】
手摺１３１は、端部が手摺取付部１２５の凹部に挿入され、ネジ１４１により固定される。また、図８に示すようにブラケット１２１にプラスチック製などのカバー１３２を装着する際には、カバー１３２の下端に設けられた爪（不図示）を、取付座１２８に設けられたカバー固定用孔１２７に嵌合させる。
【００４４】
図１０は、本考案における他のエンドブラケットの取付座を示す概略図である。図１０では、特に係合部の形状および配置を説明する便宜上、アーム部および手摺取付部は省略している。
【００４５】
図１０に示すように、取付座９１には、手摺の軸心と平行に取付座９１の座面中央部を通る直線Ｌ’に対して取付座９１が略左右対称形となる係合部９２，９３が形成されている。係合部９２は固定ネジ（不図示）の頭部が挿通するネジ挿通孔９２ａと、このネジ挿通孔９２ａに連通したネジ係合孔９２ｂ，９２ｃ，９２ｃとからなり、係合部９３も同様に固定ネジの頭部が挿通するネジ挿通孔９３ａと、このネジ挿通孔９３ａに連通したネジ係合孔９３ｂ，９３ｂ，９３ｃとからなる。
【００４６】
そして、各ネジ係合孔周縁の取付座９１表面には、固定ネジの頭部が嵌入され該固定ネジの頭部が当たる抜け止め用の内側面を、ネジ挿通孔９２ａまたは９３ａと、ネジ係合孔９２ｂ，９２ｃ，９２ｃまたは９３ｂ，９３ｂ，９３ｃとの境界部に有する凹部９２ｄまたは９３ｄが形成されている。
【００４７】
したがって、このような取付座９１を有するエンドブラケットにおいても、前記した取付座６１やエンドブラケット１２１の場合と同様に、各ネジ係合孔から離脱する方向への固定ネジの移動を凹部９２ｄ，９３ｄの内側面によって阻止することができる。
【００４８】
取付座９１を備えたエンドブラケットを手摺の一端に取り付ける際には、例えば、ネジ係合孔９２ｂ，９３ｂ，９３ｂを用いて取付座９１を壁面に取り付ける。また、このエンドブラケットを手摺の他端に取り付ける際には、例えば、ネジ係合孔９３ｃ，９２ｃ，９２ｃを用いて取付座９１を壁面に取り付ける。このように、取付座９１を備えたエンドブラケットは、手摺のどちらの端部にも適用可能である。
【００４９】
以上、本考案にかかるいくつかの実施形態について示したが、本考案は上述した実施形態に限定されるものではなく、本考案の要旨を逸脱しない範囲で変更や改良したものにも適用できることは言うまでもない。例えば、図１１は、本考案の取付構造で使用することができる手摺用ブラケットの取付座の他の例を示す概略平面図である。
【００５０】
図１１に示すように、この取付座１０１には、固定ネジ（不図示）の頭部が挿通するネジ挿通孔１０２ａと、このネジ挿通孔１０２ａに連通したネジ係合孔１０２ｂとからなる係合部１０２と、取付座１０１の端面に設けた係合部（切り欠き部）１０３ａ，１０３ｂとが設けられている。これらの係合部１０３，１０３の開口は同方向に揃うように形成されている。取付座１０１と手摺１０６との間には、取付座１０１から立設された支柱１０７が配置されている。
【００５１】
このブラケットは、例えば階段横に設置される笠木（不図示）の上面に手摺１０６を取り付ける際などに好適に使用可能である。この場合、手摺１０６は、係合部１０２と係合部１０３との間に位置するように配置される。これにより、ドライバーなどを用いた、係合部１０２および係合部１０３に挿通される固定ネジの取り付けが容易になる。
【００５２】
ここで、係合部１０２のネジ係合孔１０２ｂ周縁の取付座１０１表面には、固定ネジの頭部が嵌入され該固定ネジの頭部が当たる抜け止め用の内側面をネジ挿通孔１０２ａと、ネジ係合孔１０２ｂとの境界部に有する凹部１０２ｃが形成されている。
【００５３】
さらに、係合部１０３ａ，１０３ｂの開口近傍の一側部には、固定ネジの頭部が当たる抜け止め用の突起１０４ａ，１０４ｂが形成されており、突起１０４ａ，１０４ｂの固定ネジの頭部に当接する当接面１０５ａ，１０５ｂは、固定ネジの頭部に対応した凹状の湾曲面からなるように構成されている。
【００５４】
したがって、このような構成のブラケットであっても、ネジ係合孔１０２ｂから離脱する方向への固定ネジの移動を凹部１０２ｃの内側面により阻止することができ、さらに固定ネジが、衝撃や振動などによって切り欠き部（係合部１０３）から離脱するのを突起１０４ａ，１０４ｂにより防止することができる。
【００５５】
図１２は、本考案の取付構造で使用することができる手摺用ブラケットの取付座の他の例を示す概略図である。図１２では、特に係合部の形状および配置を説明する便宜上、アーム部および手摺取付部は省略している。
【００５６】
図１２に示す取付座１１１は略逆Ｔ字形で構成されており、固定ネジ１１６ｃの頭部が挿通するネジ挿通孔１１２ａと、このネジ挿通孔１１２ａに連通したネジ係合孔１１２ｂとからなる係合部１１２が設けられている。取付座１１１の端面には、係合部（切り欠き部）１１３ａ，１１３ｂが設けられている。
【００５７】
係合部１１３ａ，１１３ｂの開口は、同方向に揃うように形成されており、かつ係合部１１３ａ，１１３ｂの開口近傍の一側部には、固定ネジ１１６ａ，１１６ｂの頭部が当たる抜け止め用の突起１１４ａ，１１４ｂが形成されている。
【００５８】
そして、突起１１４ａ，１１４ｂの固定ネジ１１６ａ，１１６ｂの頭部に当接する当接面１１５ａ，１１５ｂは、固定ネジ１１６ａ，１１６ｂの頭部に対応した凹状の湾曲面からなるように構成されている。したがって、このような取付座１１１を有するブラケットにおいても、突起の機能を向上させることができ、ブラケットの取り付け状態をより安定させ、かつ取付強度をより向上させることができる。
【００５９】
一方、上記各実施形態で説明した固定ネジの形状としては、特に限定されないが、例えば係合部の構成がネジ挿通孔とネジ係合孔とからなる場合には、図１３（ａ）に示すような、いわゆる皿ネジ１２１を用いてもよい。
【００６０】
皿ネジ１２１を用いる場合には、取付座１２２のネジ係合孔には、皿ネジ１２１の頭部が嵌入するテーパ面１２３が形成されているのが好ましい。これにより、皿ネジ１２１の頭部をネジ係合孔に確実に係合させることができるので、安全性や安定性をより向上することができる。
【００６１】
皿ネジ１２１をネジ係合孔から離脱させる際には、図１３（ｂ）に示すように、皿ネジ１２１の頭部がネジ係合孔から露出するまで、壁面１８に螺入された皿ネジ１２１を緩めればよい。
【００６２】
なお、上記各実施形態では、固定ネジの頭部が当たる抜け止め用の突起を、Ｕ字形切り欠き部の開口近傍の一側部に設ける場合について説明したが、本発明はこれに限定されるものではなく、該突起を前記開口近傍の両側部に設けてもよい。また、取付座に設けられる係合部の個数は特に限定されるものではなく、１〜５個程度の範囲から任意に選定すればよい。
【００６３】
手摺は、例えば木、金属、プラスチックス等の各種素材から作ることができ、構造も中空物であってもよい。また、手摺の長さや外径は、使用場所に応じて適宜決定すればよい。手摺用ブラケットの大きさは、手摺の長さや外径、要求される強度などに応じて適宜決定すればよい。
【図面の簡単な説明】
【００６４】
【図１】（ａ）は、本考案の一実施形態にかかる手摺用ブラケットの取付構造を示す平面図であり、（ｂ）は、その側面図である。
【図２】（ａ）は、図１（ａ），（ｂ）に示した手摺用ブラケットを示す正面図であり、（ｂ）は、その背面図である。
【図３】（ａ），（ｂ）は、本考案の手摺用ブラケットの取付構造において、ブラケットを壁面から取り外し、再度取り付ける際の手順を示す概略図である。
【図４】本考案の取付構造で使用することができる手摺用ブラケットの取付座の他の例を示す概略図である。
【図５】（ａ）〜（ｃ）は、本考案の取付構造で使用することができる手摺用ブラケットの取付座の他の例を示す概略図である。
【図６】図５（ａ）に示した取付座の係合部付近を示す部分拡大斜視図である。
【図７】（ａ），（ｂ）は、図５（ａ）のI−I線断面図であり、固定ネジを凹部に嵌入する際の手順を示す図である。
【図８】エンドブラケットを用いて手摺を壁面に取り付けた状態を示す平面図である。
【図９】（ａ）は、図８で示したエンドブラケットを示す断面図、（ｂ）は、その平面図である。
【図１０】本考案における他のエンドブラケットの取付座を示す概略図である。
【図１１】本考案の取付構造で使用することができる手摺用ブラケットの取付座の他の例を示す概略平面図である。
【図１２】本考案の取付構造で使用することができる手摺用ブラケットの取付座の他の例を示す概略図である。
【図１３】（ａ），（ｂ）は、皿ネジをネジ係合孔から離脱させる際の手順を示す部分拡大概略図である。
【符号の説明】
【００６５】
１ａ，１ｂ  抜け止め用の突起
２ａ，２ｂ  当接面
１１  手摺用ブラケット
１２ａ，１２ｂ，１２ｃ，６２，１２２，１２３  係合部
１３，６１，１２８  取付座
１４，１２４  アーム部
１５，１２５  手摺取付部
１７ａ，１７ｂ，１７ｃ，６９  固定ネジ
１８  壁面
２９，１３１  手摺
６３，１２２ａ，１２３ａ  ネジ挿通孔
６４，１２２ｂ，１２３ｂ  ネジ係合孔
６５，１２２ｃ，１２３ｃ  凹部
６７  抜け止め用の内側面
１２１  エンドブラケット
【図１】
0003134563.tif 000003
【図２】
0003134563.tif 000004
【図３】
0003134563.tif 000005
【図４】
0003134563.tif 000006
【図５】
0003134563.tif 000007
【図６】
0003134563.tif 000008
【図７】
0003134563.tif 000009
【図８】
0003134563.tif 000010
【図９】
0003134563.tif 000011
【図１０】
0003134563.tif 000012
【図１１】
0003134563.tif 000013
【図１２】
0003134563.tif 000014
【図１３】
0003134563.tif 000015